(57)【特許請求の範囲】
【請求項１】
デッドボルトを出没させて解施錠するサムターンと、前記サムターンの回動を操作する電動アクチュエータと、ＩＣチップに書き込まれた固有情報を読み取るリーダと、このリーダで読み取られた固有情報を照合して、少なくとも解錠するように前記電動アクチュエータを駆動する制御装置とを設けた電動式サムターン錠において、前記デッドボルトの出没動作を検知するセンサを設け、このセンサの出力履歴を記憶する記憶手段を前記制御装置に設けるとともに、前記リーダで読み取った固有情報を記憶手段に記憶されたデータと照合する照合プログラムを制御装置に組み込み、前記制御装置にデットボルトの出没動作を検知するセンサの出力が入力されると、照合プログラムが作動したか否かでもって、解錠が正常に行われたかどうかを判別することを特徴とする電動式サムターン錠。
【請求項２】
前記デッドボルトの出没動作を検知するセンサを、前記サムターンの回動動作を検出するものとした請求項１に記載の電動式サムターン錠。
【請求項３】
前記制御装置に、前記記憶手段に記憶されたセンサの出力履歴を記録する記録媒体を接続可能とした請求項１または２に記載の電動式サムターン錠。
【請求項４】
前記ＩＣチップを、前記リーダと接触させない非接触型のデバイスに装着した請求項１乃至３のいずれかに記載の電動式サムターン錠。
【発明の詳細な説明】
【技術分野】
【０００１】
本発明は、サムターンを電動アクチュエータで操作する電動式サムターン錠に関する。
【背景技術】
【０００２】
デッドボルトを出没させて解施錠するサムターンと、サムターンの回動を操作する電動モータ等の電動アクチュエータを備えた電動式サムターン錠には、セキュリティ性能を高めるために、ＩＣ(Integrated Circuit)チップに書き込まれた固有情報を読み取るリーダを設けて、リーダで読み取られた固有情報を照合し、電動アクチュエータを駆動する制御装置を設けて、ＩＣチップを装着したＩＣカード等のデバイスの所持者のみが解錠できるようにしたものがある（例えば、特許文献１、２参照）。
【０００３】
前記ＩＣチップを装着したＩＣカード等のデバイスには、リーダに接触させて固有情報を読み取らせる接触型のものと、リーダに接触させずに固有情報を読み取らせる非接触型のものとがあり、特許文献１、２に記載されたものは、いずれも非接触型のＩＣカードや携帯電話等のデバイスを用いるようにしている。非接触型のデバイスを用いる電動式サムターン錠は、リーダを露出しないように配置することができるので、リーダを露出させる必要のある接触型のデバイスを用いるものよりもシステム破壊等に対する安全性が高く、耐久性も優れている。このため、近年は、新設のものの他に手動式のサムターン錠を改造するものも含めて、非接触型のデバイスを用いるものが増加している。なお、手動式のサムターン錠を改造する場合は、解施錠するシリンダ錠を組み込んだ把手を流用することも多い。
【０００４】
前記非接触型のデバイスに装着されるＩＣチップは、固有情報が書き込まれた電子回路と、リーダから発信される電波を受信して、電子回路に書き込まれた固有情報を送信するアンテナ素子とからなり、ＩＣチップを装着したＩＣカード等のデバイスをリーダに向けて翳すことにより、リーダによって固有情報が読み取られ、サムターン錠が解錠される。なお、施錠については、解錠と同様に、ＩＣカード等のデバイスを翳すことにより行うものと、扉を閉じたときに自動的に施錠されるオートロック式のものとがある。通常、ＩＣカード等のデバイスは、電動式サムターン錠を取り付けた建屋や部屋を利用する社員や家族等の複数のメンバーが所持する。
【０００５】
また、特許文献２に記載されたものは、リーダが読み取った固有情報の履歴を記憶する記憶手段を設けている。なお、ＩＣチップを用いる電動式サムターン錠ではないが、錠本体と機械的または電気的に接続可能な電子鍵を用いる電子錠では、電子鍵による解施錠履歴データを電子鍵に送信可能としたものもある（例えば、特許文献３参照）。
【先行技術文献】
【特許文献】
【０００６】
【特許文献１】特開２００２−３６４２２０号公報
【特許文献２】特開２００９−２８７２５１号公報
【特許文献３】特開２００５−９００４９号公報
【発明の概要】
【発明が解決しようとする課題】
【０００７】
特許文献２に記載されたリーダが読み取った固有情報の履歴を記憶する記憶手段を設けた電動式サムターン錠は、ＩＣカード等のデバイスを用いて解錠した履歴は分かるが、ピッキング等の他の手段で解錠された履歴が分からず、施錠管理を十分に行うことができない問題がある。また、特許文献３に記載された電子錠も、電子鍵で解錠された履歴は分かるが、他の手段で解錠された履歴は分からない。
【０００８】
そこで、本発明の課題は、いかなる手段で解錠されても解錠履歴が分かる電動式サムターン錠を提供することである。
【課題を解決するための手段】
【０００９】
上記の課題を解決するために、本発明は、デッドボルトを出没させて解施錠するサムターンと、前記サムターンの回動を操作する電動アクチュエータと、ＩＣチップに書き込まれた固有情報を読み取るリーダと、このリーダで読み取られた固有情報を照合して、少なくとも解錠するように前記電動アクチュエータを駆動する制御装置とを設けた電動式サムターン錠において、前記デッドボルトの出没動作を検知するセンサを設け、このセンサの出力履歴を記憶する記憶手段を設けた構成を採用した。
【００１０】
すなわち、デッドボルトの出没動作を検知するセンサを設け、このセンサの出力履歴を記憶する記憶手段を設けることにより、いかなる手段で解錠されても解錠履歴が分かるようにした。
【００１１】
前記デッドボルトの出没動作を検知するセンサを、前記サムターンの回動動作を検出するものとすることにより、デッドボルトの出没動作を検知するセンサを容易に扉側に配置することができる。
【００１２】
前記記憶手段を前記制御装置に設け、前記記憶手段に記憶されるセンサの出力履歴を、前記リーダで読み取られた固有情報を照合して解錠されたものと、それ以外のものとに仕分けすることにより、ＩＣチップ以外の他の手段で解錠されたケースを容易に判別することができる。
【００１３】
前記制御装置に、前記記憶手段に記憶されたセンサの出力履歴を記録する記録媒体を接続可能とすることにより、センサの出力履歴を記録した記録媒体をパーソナルコンピュータ等に接続して、記憶手段に記憶されたセンサの出力履歴のデータを迅速に処理することができる。
【００１４】
前記ＩＣチップを、前記リーダと接触させない非接触型のデバイスに装着することにより、システム破壊等に対する安全性と耐久性が優れたものとすることができる。非接触型のデバイスとしては、ＩＣカードの他に携帯電話等も用いることができる。
【発明の効果】
【００１５】
本発明に係る電動式サムターン錠は、デッドボルトの出没動作を検知するセンサを設け、このセンサの出力履歴を記憶する記憶手段を設けたので、いかなる手段で解錠されても解錠履歴が分かり、施錠管理を十分に行うことができる。
【図面の簡単な説明】
【００１６】
【図１】電動式サムターン錠の実施形態を示す一部切欠き縦断面図
【図２】図１の扉の外側からの斜視図
【図３】図１の電動式サムターン錠の電気系統図
【図４】図３のマイクロコンピュータの制御ブロック図
【図５】図４の制御回路の記憶プログラムのフローチャート
【発明を実施するための形態】
【００１７】
以下、図面に基づき、本発明の実施形態を説明する。この電動式サムターン錠は手動式のサムターン錠を改造したものであり、図１および図２に示すように、シリンダ錠１が組み込まれた把手２と、扉Ａのフロント面から出没するデッドボルト３を備え、扉Ａの内側に取り付けられた駆動ケース４に、デッドボルト３を出没させて解施錠するように回動するサムターン５と、サムターン５の回動を操作する電動アクチュエータとしての電動モータ６と、サムターン５の回動動作を検出するセンサとしてのリミットスイッチ７が設けられている。また、その上側に取り付けられた制御ケース８には、電動モータ６を駆動する制御装置としてのマイクロコンピュータ９と、電源となる電池１０が組み込まれている。なお、この電動式サムターン錠はオートロック式とすることができ、その場合は扉Ａが閉じたときに自動的に施錠される。
【００１８】
前記電動モータ６は、デッドボルト３を出没させるサムターン５の軸部５ａに、歯車伝達機構（図示省略）で回転を伝達する。サムターン５の回動動作を検出するリミットスイッチ７は、信号ケーブル１１ａでマイクロコンピュータ９に接続されている。また、サムターン５の軸部５ａはシリンダ錠１も連結されており、電池切れ等の非常時には、シリンダ錠１で解施錠することもできる。通常時は、シリンダ錠１の鍵は別途に保管され、使用されない。
【００１９】
前記扉Ａの外側の把手２の周りを覆う樹脂製の把手カバー１２の中には、ＲＦＩＤ（Radio Frequency Identification）アンテナ１３ａを有するリーダ１３が収納され、図２中に一点鎖線で示すように、非接触型のデバイスであるＩＣカード２０をリーダ１３に向けて翳すことにより、ＩＣカード２０に埋設して装着されたＩＣチップ（図示省略）に書き込まれた固有情報が無線で読み取られるようになっている。リーダ１３は信号ケーブル１１ｂで扉Ａの内側のマイクロコンピュータ９に接続されている。
【００２０】
図３は、上述した電動式サムターン錠の電気系統図を示す。前記マイクロコンピュータ９には、リミットスイッチ７とリーダ１３の出力が入力され、電動モータ６に解錠信号を出力するようになっている。また、電池１０の電力は、電源回路１４を介して、電動モータ６、マイクロコンピュータ９、リミットスイッチ７およびリーダ１３に供給される。電源回路１４には、外部電源供給回路１５も接続できるようになっている。
【００２１】
図４は、前記マイクロコンピュータ９の制御ブロック図を示す。マイクロコンピュータ９には、電動モータ６を解錠するように駆動する制御回路１６と、リーダ１３で読み取られる固有情報を照合するためのデータを記憶するメモリ１７と、日時を刻むＲＴＣ(Real Time Clock)回路１８が設けられ、記録媒体としてＵＳＢ(Universal Serial Bus)メモリ１９が接続可能とされている。制御回路１６には、リーダ１３で読み取られた固有情報をメモリ１７に記憶されたデータと照合する照合プログラム１６ａと、照合プログラム１６ａが作動されて解錠された解錠履歴、およびデッドボルト３が出没したことを検知するリミットスイッチ７の出力履歴を記憶する記憶プログラム１６ｂが組み込まれている。
【００２２】
図５は、前記記憶プログラム１６ｂを作動する制御フローチャートを示す。リミットスイッチ７の出力が入力されると、ＲＴＣ回路１８からそのときの日時が取得され、このとき照合プログラム１６ａが作動されたか否かを判別する。照合プログラム１６ａが作動されている場合は正常、作動されていない場合は異常と判別され、リミットスイッチ７の出力が入力された日時とこの判別結果が記憶される。したがって、適宜の日数間隔で、この記憶内容をマイクロコンピュータ９に接続されるＵＳＢメモリ１９に記録して、記憶内容を記録したＵＳＢメモリ１９をパーソナルコンピュータ等に接続することにより、全ての解錠履歴を把握できるとともに、各解錠がＩＣカード２０を用いた正常なものか、その他の手段による異常なものかを判別でき、施錠管理を十分に行うことができる。
【００２３】
上述した実施形態では、電動式サムターン錠を、手動式のサムターン錠を改造したオートロック可能なものとし、解錠のときにのみＩＣカードを使用するようにしたが、オートロック式でなく、施錠のときにもＩＣカードを使用するようにしてもよい。また、新設する場合は、把手にシリンダ錠を組み込まなくてもよい。
【００２４】
上述した実施形態では、ＩＣチップを装着したデバイスを鍵専用のＩＣカードとしたが、このＩＣカードは電子マネーや定期券等に使用されるＩＣカードと共用のものとすることもでき、ＩＣカードの他に携帯電話等とすることもできる。
【００２５】
上述した実施形態では、デッドボルトの出没動作を、サムターンの回動動作を検出するリミットスイッチで間接的に検知するようにしたが、サムターンの回動動作は他のセンサで検出してもよく、デッドボルトの出没動作を直接検出するようにしてもよい。
【００２６】
上述した実施形態では、マイクロコンピュータの記憶プログラムに記憶された記憶内容をＵＳＢメモリに記録して、パーソナルコンピュータ等を用いて記憶内容を出力するようにしたが、マイクロコンピュータ自身に記憶内容を出力する機能を持たせてもよい。
【符号の説明】
【００２７】
１  シリンダ錠
２  把手
３  デッドボルト
４  駆動ケース
５  サムターン
５ａ  軸部
６  電動モータ
７  リミットスイッチ
８  制御ケース
９  マイクロコンピュータ
１０  電池
１１ａ、１１ｂ  信号ケーブル
１２  把手カバー
１３  リーダ
１３ａ  ＲＦＩＤアンテナ
１４  電源回路
１５  外部電源供給回路
１６  制御回路
１６ａ  照合プログラム
１６ｂ  記憶プログラム
１７  メモリ
１８  ＲＴＣ回路
１９  ＵＳＢメモリ
２０  ＩＣカード
【図１】
0005584515.tif 000002
【図２】
0005584515.tif 000003
【図３】
0005584515.tif 000004
【図４】
0005584515.tif 000005
【図５】
0005584515.tif 000006